(57)【特許請求の範囲】
【請求項１】
一端に撮像装置取付台を有する棒部材と、
前記棒部材の両端部の間に設けられ、前記棒部材の軸に直交する方向に伸びる把持部と、を備え、
前記把持部は、携帯機器の画面が前記把持部の長軸に沿って配置されるように前記携帯機器を保持する保持部を有する
ことを特徴とする撮影器具。
【請求項２】
請求項１に記載の撮影器具であって、
前記把持部は、前記棒部材の軸に直交する一方向に伸びる
ことを特徴とする撮影器具。
【請求項３】
請求項１または２に記載の撮影器具であって、
ユーザーにより把持される前記把持部の前記棒部材と反対側の端部と、
前記ユーザーにより把持される前記棒部材の前記把持部近傍と、
前記棒部材の接地面に接する接地部分と、の三点により支持される
ことを特徴とする撮影器具。
【請求項４】
請求項１〜３のいずれか一項に記載の撮影器具であって、
前記把持部は、使用者の胴部に対応する高さ位置に設けられている
ことを特徴とする撮影器具。
【請求項５】
請求項１〜４のいずれか一項に記載の撮影器具であって、
前記棒部材は、伸縮可能であり、
前記把持部は、前記棒部材の伸縮に関わらず、高さ位置が変化しない
ことを特徴とする撮影器具。
【請求項６】
請求項１〜５のいずれか一項に記載の撮影器具であって、
前記把持部は、前記棒部材より短い
ことを特徴とする撮影器具。
【請求項７】
請求項１〜６のいずれか一項に記載の撮影器具であって、
前記把持部は、前記棒部材の軸回りに回転可能に取り付けられている
ことを特徴とする撮影器具。
【請求項８】
請求項１〜７のいずれか一項に記載の撮影器具であって、
前記把持部は、グリップを有し、
前記グリップは、前記保持部を挟んで前記把持部の前記棒部材と反対側の端部に設けられている
ことを特徴とする撮影器具。
【請求項９】
請求項１〜８のいずれか一項に記載の撮影器具であって、
前記保持部は、前記棒部材の軸と直交する軸回りに回転可能である
ことを特徴とする撮影器具。
【請求項１０】
請求項１〜９のいずれか一項に記載の撮影器具であって、
前記保持部の周囲の少なくとも一部を囲う遮光部材を有する
ことを特徴とする撮影器具。
【発明の詳細な説明】
【技術分野】
【０００１】
本発明は、撮影器具に関する。
【背景技術】
【０００２】
撮影器具のうち、一般的に一脚と呼ばれる１本脚の撮影器具は、一脚を手で掴み脇を締めて腕を胴体につけた状態で支えないと撮影画像がぶれてしまうため、使用するのが難しい。
【０００３】
特許文献１には、一脚を垂直自立させる光学機器用一脚装置が記載されている。
【先行技術文献】
【特許文献】
【０００４】
【特許文献１】実開平６−６４２４５号公報
【発明の概要】
【発明が解決しようとする課題】
【０００５】
一脚に足踏み部を設け、一脚を自立固定させた特許文献１のような光学機器用一脚装置は、被写体を追いかける場合は従来通り一脚を身体に寄せて固定した状態にしないと画像がぶれてしまう。また、一脚が使用者の背丈よりはるかに長い場合は、足踏み部のサイズを大きくしないと一脚を自立固定させることが難しい。
【０００６】
本発明の目的は、使用者の背丈より長い一脚であっても保持が容易な撮影器具を提供することにある。
【課題を解決するための手段】
【０００７】
本発明は、上記課題の少なくとも１つを解決するものであるが、その例を挙げるならば、次の通りである。すなわち、本発明の一態様である撮影器具は、一端に撮像装置取付台を有する棒部材と、前記棒部材の両端部の間に設けられ、前記棒部材の軸に直交する方向に伸びる把持部と、を備えることを特徴とする。
【０００８】
前記把持部は、前記棒部材の軸に直交する一方向に伸びるものであってもよい。
【０００９】
ユーザーにより把持される前記把持部の前記棒部材と反対側の端部と、前記ユーザーにより把持される前記棒部材の前記把持部近傍と、前記棒部材の接地面に接する接地部分と、の三点により支持されるものであってもよい。
【００１０】
前記把持部は、使用者の胴部に対応する高さ位置に設けられていてもよい。
【００１１】
前記棒部材は、伸縮可能であり、前記把持部は、前記棒部材の伸縮に関わらず、高さ位置が変化しないものであってもよい。
【００１２】
前記把持部は、前記棒部材より短いものであってもよい。
【００１３】
前記把持部は、前記棒部材の軸回りに回転可能に取り付けられていてもよい。
【００１４】
前記把持部は、前記棒部材と反対側の端部にグリップを有していてもよい。
【００１５】
前記把持部は、アクセサリー保持部を有していてもよい。
【００１６】
前記アクセサリー保持部は、前記棒部材の軸と直交する軸回りに回転可能であってもよい。
【００１７】
前記アクセサリー保持部の周囲の少なくとも一部を囲う遮光部材を有していてもよい。
【発明の効果】
【００１８】
本発明によれば、使用者の背丈より長い一脚であっても保持が容易な撮影器具を提供することができる。
【図面の簡単な説明】
【００１９】
【図１】本実施形態に係る撮影器具の概略構成例を示す図である。
【図２】本実施形態に係る撮影器具の概略構成例を示す図である。
【図３】本実施形態に係る撮影器具の把持部及びアクセサリー保持部の概略構成例を示す図である。
【図４】本実施形態に係る撮影器具の遮光部材の概略構成例を示す図である。
【図５】本実施形態に係る撮影器具の使用の一例を示す図である。
【図６】本実施形態に係る撮影器具の使用の一例を示す図である。
【図７】本実施形態の変形例に係る撮影器具の把持部の概略構成例を示す図である。
【発明を実施するための形態】
【００２０】
本発明の実施形態の例について、以下、図に基づいて説明する。
【００２１】
図１および図２は、本実施形態に係る撮影器具１の概略構成例を示す図である。図１（ａ）は、撮影器具１の側面図、図１（ｂ）は、撮影器具１の正面図、図２（ａ）は、把持部２０及びアクセサリー保持部３０を取り付けた撮影器具１の背面図、図２（ｂ）は、把持部２０及びアクセサリー保持部３０を取り付けた撮影器具１の正面図である。図３は、把持部２０及びアクセサリー保持部３０の概略構成例を示す図である。図３（ａ）は、把持部２０及びアクセサリー保持部３０の背面図、図３（ｂ）は、把持部２０及びアクセサリー保持部３０の正面図である。
【００２２】
撮影器具１は、一般的に一脚と呼ばれる撮影装置用の器具であり、特に、使用者の背丈より長い一脚を用いる撮影用器具である。撮影器具１は、伸縮可能な棒部材１０と、棒部材１０に着脱可能に接続される把持部２０と、把持部２０に取り付けられたアクセサリー保持部３０とを備える。撮影器具１は、例えば、棒部材１０の先端部に撮像装置Ａを取り付け、アクセサリー保持部３０にタブレット端末を保持させて、使用することができる。使用者は、タブレット端末を介して、撮像装置Ａを操作したり、撮影された画像を確認したりすることができる。後に詳述するが、撮影の際には、使用者は、棒部材１０と、把持部２０の棒部材１０と反対側の端部とを両手で持って使用する。
【００２３】
棒部材１０は、伸縮自在な棒状部材である。棒部材１０の軸方向の長さは限定されないが、本実施形態では、１ｍから８ｍ程度まで伸縮する棒状部材を用いる。棒部材１０の伸縮構造は、限定されず、例えば、径の異なる複数の筒を締付リングにより連接する構造を用いる。また、棒部材１０の材料は限定されず、例えば、カーボン素材や金属素材などが用いられる。
【００２４】
棒部材１０は、撮像装置取付台１１と、錘１２と、を備える。棒部材１０の一端に撮像装置取付台１１が取り付けられ、他端に錘１２が取り付けられる。本実施形態では、棒部材１０の撮像装置取付台１１側を上側、錘１２側を下側として説明する。
【００２５】
撮像装置取付台１１は、一般的な雲台（パンヘッド）と同じ役割をするものである。撮像装置取付台１１は、撮像装置Ａを取り付けることができれば、どのような構造をしていてもよく、棒部材１０と一体でも分離交換できるものであってもよいし、自由雲台、３ＷＡＹ雲台などどのような構造であってもよい。撮像装置Ａの取り付け方も、特に限定されず、例えば、直付けタイプやクイックシュータイプ等どのような取り付け方であってもよい。ここで、撮像装置Ａには、カメラ、ビデオカメラの他、撮影機能付の携帯機器も含まれる。
【００２６】
錘１２は、棒部材１０の下端部に設けられる。錘１２に用いられる材料は特に限定されないが、本実施形態では、鉛などの金属を用いる。錘１２は、一定の重さを有するものであれば、金属でなくてもよい。錘１２は、棒部材１０の内部に金属の塊を入れて固定してもよいし、錘１２を筒状に形成して、棒部材１０の外周に嵌めて固定してもよい。棒部材１０の上側を上方に伸長させるほど、上端部が棒部材１０の使用者により把持される箇所（支点）から離れるため、支点の上下のバランスが悪くなり、棒部材１０を直立させるのが難しくなる。そこで、棒部材１０の下端部に錘１２を設けて、撮影器具１を直立させ易くしている。
【００２７】
把持部２０は、棒部材１０の軸と垂直な方向に伸びるよう配置される。把持部２０は、棒部材１０との接続部から棒部材１０の軸と垂直な一方向に伸びるように配置されるが、棒部材１０の軸に対称に直交するよう二方向に伸びていてもよい。棒部材１０の軸から一方向に伸びる把持部２０の長さは、棒部材１０より短く、例えば、使用者の腰幅程度である。また、把持部２０は、棒部材１０の軸回りに回転可能に（図３（ａ）中の矢印ｙ）、かつ、棒部材１０の軸と垂直な軸回りに回転可能に（図３（ａ）中の矢印ｘ）構成されている。より具体的には、把持部２０は、グリップ２１と、連結部２２と、支持部２３と、を備える。
【００２８】
連結部２２は、第１部材２２１と第２部材２２２を有し、棒部材１０と把持部２０の支持部２３を繋いでいる。第１部材２２１は、棒部材１０の軸回りを３６０度回転可能（図中の矢印ｙ）に、棒部材１０に対して着脱可能に取り付けられている。第１部材２２１の棒部材１０への取り付け方は限定されないが、本実施形態では、第１部材２２１は、ステンレスパイプなどの中空の筒状部材であり、棒部材１０の外周に取り付けられる。
【００２９】
第１部材２２１は、棒部材１０において最も下側の第１筒１０１の上端部に設けられた第１締付リング１０３の外径より小さい内径を有し、第１筒１０１の上端部から挿入されて継ぎ足された第２筒１０２の外径より大きい内径を有している。連結部２２は、第１締付リング１０３の上端部で係止され、高さが決められている。
【００３０】
第２部材２２２は、長軸が棒部材１０の軸と直交するように第１部材２２１の外周に固定されている。本実施形態では、第２部材２２２は、長ナットなどの中空の筒状部材である。
【００３１】
第１部材２２１と第２部材２２２の材料は金属に限定されず、例えば、プラスチック樹脂やシリコン樹脂などから形成されていてもよい。また、連結部２２は、第１部材２２１と第２部材２２２が一体に形成されていてもよい。連結部２２は、把持部２０が棒部材１０の軸に対し回転可能であればどのような構造をしていてもよく、第１部材２２１と第２部材２２２に分かれていなくてもよい。
【００３２】
支持部２３は、棒部材１０の軸に垂直な棒状部材であり、その長軸回りに３６０度回転可能（図中の矢印ｘ）に、第２部材２２２に対して着脱可能に取り付けられている。支持部２３の第２部材２２２と反対側の端部には、グリップ２１が設けられている。また、支持部２３には、アクセサリー保持部３０が支持される。支持部２３の材料は特に限定されず、例えば、鉄、ステンレス等であり、本実施形態では、第２部材２２２としての長ナットに適合する長ボルトを用いる。
【００３３】
グリップ２１は、使用者が撮影器具１を使用する際に握る部分である。グリップ２１は、手で握ることができれば、どのような形状であってもよい。例えば、五角形や七角形のノブボルト（ノブスターボルト）など手で握りやすい形状とすると扱いやすくなる。グリップ２１を握って支持部２３をその軸回りに回転させれば、アクセサリー保持部３０の角度を調整することができるし、グリップ２１を握ったまま棒部材１０をその軸回りに回転させれば、撮影方向を調整することができる。
【００３４】
アクセサリー保持部３０は、支持部２３に取り付けられており、タブレット端末等の携帯機器Ｂを保持する。グリップ２１は、アクセサリー保持部３０よりも外側に突出しており、アクセサリー保持部３０に隠れずに握り易くなっている。アクセサリー保持部３０は、支持部２３に着脱可能であってもよい。より具体的には、アクセサリー保持部３０は、板状部３１と、係止部３２と、を備える。
【００３５】
板状部３１は、略長方形であり、長辺方向の中心線が支持部２３の長軸に略沿うように取り付けられる。取り付け方は限定されず、例えば、接着剤などで接着して取り付けられる。グリップ２１を握って支持部２３をその軸回りに回転させれば、板状部３１が揺動する。この動きによって、アクセサリー保持部３０の角度（保持された携帯機器Ｂの画面の角度）を調節することができる。板状部３１は、どのような材料を用いてもよいが、携帯機器Ｂの熱を放熱できる材料が望ましく、例えば、アルミニウムが用いられる。
【００３６】
係止部３２は、正面視略Ｕ字型の板部材であり、板状部３１の下側の長辺及び両短辺に沿って取り付けられている。係止部３２の板状部３１側の面には、Ｕ字型の溝３２１が形成されており、上側から携帯機器Ｂを挿入して嵌め込むことができるようになっている。係止部３２は、どのような材料を用いてもよいが、携帯機器Ｂの熱を放熱できる材料が望ましく、例えば、アルミニウムが用いられる。
【００３７】
携帯機器Ｂを保持できれば、係止部３２はどのような形状をしていてもよい。例えば、係止部３２は、板状部３１の下側の長辺に沿って全体的に設けられ、短辺側は部分的に設けられていてもよい。また、携帯機器Ｂが保持できれば、アクセサリー保持部３０は、どのような形状をしていてもよい。アクセサリー保持部３０は、平板状でなくてもよく、例えば、網状や格子状であってもよい。
【００３８】
図４は、遮光部材４０の概略構成例を示す図である。遮光部材４０は、複数の板部材から構成され、アクセサリー保持部３０の周囲を囲うように着脱可能に取り付けることができる。遮光部材４０を用いることで、アクセサリー保持部３０に設置した携帯機器Ｂの画面が見やすくなる。遮光部材４０は、光を遮ることができれば、どのような材料でもよく、例えば、プラスチック、紙、ベニヤ板などが用いられる。遮光部材４０は、光が透過、反射して携帯機器の画面が見にくくならないよう、濃い色の材料を用いるのが望ましい。本実施形態では、アクセサリー保持部３０の上側、棒部材１０側、グリップ２１側の上１／３、及び下側の棒部材１０側半分が遮光部材４０で囲われている。アクセサリー保持部３０の全周を囲うのではなく、一部を開口させているため、使用者は携帯機器Ｂを容易に操作することができる。遮光部材４０は、アクセサリー保持部３０の少なくとも一部を囲うように設けられればよく、例えば、アクセサリー保持部３０の上側と棒部材１０側にのみ設けられてもよい。
【００３９】
次に、撮影器具１の使用の一例について説明する。図５および図６は、撮影器具１の使用の一例を示す図である。
【００４０】
図５に示すように、使用者は、棒部材１０の下端部（錘１２）を接地面に接地し、棒部材１０の連結部２２の上辺りを一方の手で握り、グリップ２１を他方の手で握る。撮影器具１は、接地部分、棒部材１０の手で握った部分、およびグリップ２１の三点で支えられるため（以下、三点支持構造という。）、先端部の撮像装置Ａの振動や揺れが抑制され姿勢及び向きを安定させることができる。把持部２０は、使用者の胴部、好ましくは腰部に位置するように高さを調節しておくと、撮影器具１を扱いやすくなる。
【００４１】
図６に示すように、棒部材１０を使用者の背丈より十分に長く伸ばして使用する場合であっても、三点支持構造により撮影器具１を安定して支えることができるので、撮像装置Ａが撮像する画像がブレにくくなる。把持部２０にアクセサリー保持部３０を取り付け、アクセサリー保持部３０に携帯機器Ｂを設置すれば、撮像装置Ａの画像を確認しつつ、被写体を追うことができる。棒部材１０の伸縮に関わらず、把持部２０は高さ位が変化しないよう取り付けられており、棒部材１０が使用者の背丈より十分に長い場合でも、把持部２０は、使用者の胴部、好ましくは腰部に位置するため、撮影器具１を安定して保持することができる。
【００４２】
上下の撮影方向を変える場合は（チルト）、使用者は、例えば両腕を前後に動かす及び／又は体を前後に移動すればよい。左右の撮影方向を変える場合は（パン）、使用者は、例えば一方の手で棒部材１０のみを左右に回転させる及び／又は両腕で撮像器具１全体を左右に回転させればよい。このように撮影方向を変える場合も、三点支持構造により撮像装置Ａの振動や揺れが抑制される。
【００４３】
なお、撮像装置Ａから携帯機器Ｂへの画像データの送信等の通信は、無線又は有線で行われる。例えば、無線の場合は、Ｗｉ−Ｆｉ（登録商標）、有線の場合は、ＵＳＢ（Ｕｎｉｖｅｒｓａｌ  Ｓｅｒｉａｌ  Ｂｕｓ）を用いることができる。有線の場合、伸縮する棒部材１０と一体的に伸縮するカールコードなどを用いてもよい。
【００４４】
以上、本実施形態について説明した。本実施形態によれば、使用者の背丈より長い一脚であっても保持が容易な撮影器具を提供することができる。
【００４５】
撮影器具１は、三点支持構造により、使用者の背丈よりもはるかに長い棒部材１０（一脚）を安定して保持することができる。棒部材１０を安定して保持できるため、撮像装置Ａに広角系レンズを使用した場合だけでなく、望遠系レンズを使用した場合であっても画像がぶれず撮影をすることができる。また、使用者の背丈よりはるかに長い棒部材１０の上側に撮像装置Ａを取り付けるため、俯瞰するように撮影をすることができる。
【００４６】
撮影器具１は、把持部２０が使用者の腰付近に配置されるため、楽な姿勢で撮影器具１を保持することができる。また、把持部２０は棒部材１０に対して３６０度回転するため操作が容易で、グリップ２１を握ったまま棒部材１０を回転すれば被写体をスムーズに追うことができる。もちろん、グリップ２１と棒部材１０を握ったまま、使用者が身体を動かして被写体を追うこともできる。また、把持部２０にアクセサリー保持部３０が取り付けられているので、携帯機器Ｂを設置すれば撮像装置Ａの画像を確認しながら撮影ができる。アクセサリー保持部３０は、角度調節ができるため、携帯機器Ｂの画面を使用者が見やすい位置に調整することができる。また、棒部材１０の軸と垂直に伸びる把持部２０の端部にグリップ２１が設けられているため、アクセサリー保持部３０に遮光部材４０を取り付けてもグリップ２１を握ることができ、撮影器具１を安定して保持することができる。
【００４７】
なお、棒部材１０は下端部に棒部材１０の軸回りに回転するベアリング構造、あるいはゴムなどの弾性体の石突を有していてもよい。また、把持部２０は、持ち運び時に棒部材１０と平行に収納され、使用時に棒部材１０と直交するように配置されるように、ヒンジなどの折り畳み構造を備えてもよい。把持部２０の連結部２２は、棒部材１０に対する回転を制限／解除することができるように、ねじなどの係止構造を備えてもよい。把持部２０は、把持部２０の軸方向に支持部２３が伸縮可能に構成されていてもよい。また、把持部２０の連結部２２は、棒部材１０に対し高さ位置を調整できるように構成されていてもよい。
【００４８】
本実施形態の変形例について、本実施形態と異なる点について説明する。図７は、本変形例のアクセサリー保持部３０ａの概略構成例及び動作の一例を示す図である。図７（ａ）は、アクセサリー保持部３０ａの正面図、図７（ｂ）は、アクセサリー保持部３０ａの背面図を示している。アクセサリー保持部３０ａの構造を明確にするため、背面側からアクセサリー保持部３０ａを見た状態を示している。本変形例では、アクセサリー保持部３０ａは、支持部２３の軸に沿って伸縮可能で、様々なサイズの携帯機器Ｂを保持することができる。
【００４９】
アクセサリー保持部３０ａは、第１アーム部３３と第２アーム部３４からなり、各アーム部の一端には挟持部３５が設けられている。第１アーム部３３は支持部２３と同程度の幅を有する略長方形の枠状に形成されている。第２アーム部３４は、支持部２３の幅より大きい幅を有する略長方形に形成されている。
【００５０】
第２アーム部３４は、支持部２３の正面側に長軸に沿って固定されている。第１アーム部３３は、第２アーム部３４に対して、レール構造によって装着されており、長軸方向に沿ってスライド移動可能である。すなわち、第２アーム部３４の挟持部３５に対して、第１アーム部３３の挟持部３５を近付けたり遠ざけたりすることができる。これらの２つの挟持部３５の間に、携帯機器Ｂを挟んで保持することができる。
【００５１】
なお、第２アーム部３４に対する第１アーム部３３の動きを固定／解除するため、第２アーム部３４に対して第１アーム部３３を締め付けるねじ部材などのストッパー３６が設けられている。
【００５２】
以上、本発明の実施形態を説明したが、上記の記載した実施形態は特許請求の範囲に係る発明を限定するものではない。各実施形態は、それぞれの特徴を組み合わせることができる。上記いずれかの撮影器具が、他の実施形態の特徴を併せ持つものであってもよい。また、実施形態の中で説明した特徴の組合せの全てが発明の課題を解決するための手段に必須であるとは限らない点に留意すべきである。
【符号の説明】
【００５３】
１：撮影器具
１０：棒部材
１１：撮像装置取付台
１２：錘
２０：把持部
２１：グリップ
２２：連結部
２３：支持部
３０，３０ａ：アクセサリー保持部
３１：板状部
３２：係止部
３３：第１アーム部
３４：第２アーム部
３５：挟持部
３６：ストッパー
４０：遮光部材
１０１：第１筒
１０２：第２筒
１０３：第１締付リング
２２１：第１部材
２２２：第２部材
３２１：溝
Ａ：撮像装置
Ｂ：携帯機器
【要約】
【課題】使用者の背丈より長い一脚であっても保持が容易な撮影器具を提供する。
【解決手段】撮影器具は、一端に撮像装置取付台を有する棒部材と、前記棒部材の両端部の間に設けられ、前記棒部材の軸に直交する方向に伸びる把持部と、を備える。
【選択図】図１【図１】
0006710880.tif 000002
【図２】
0006710880.tif 000003
【図３】
0006710880.tif 000004
【図４】
0006710880.tif 000005
【図５】
0006710880.tif 000006
【図６】
0006710880.tif 000007
【図７】
0006710880.tif 000008